(57)【特許請求の範囲】
【請求項１】
洗濯機本体上部に配設した上面カバーと、前記上面カバーに形成された衣類投入口と、前記衣類投入口を開閉自在に覆うように配設された折り畳み可能な２枚折れ蓋構造の蓋体とを備え、前記蓋体は、前部に設けられた取手部を有する前蓋体と、前記前蓋体の後部に設けられた後蓋体とから構成し、前記前蓋体は、天面を形成する表面に凹凸が無い形状の前側天面部材と、裏面を形成する前側裏面部材とから構成し、前記後蓋体は、天面を形成する表面に凹凸が無い形状の後側天面部材と、裏面を形成する開口を有する後側裏面部材とから構成し、前記前側天面部材と前記後側天面部材は、平板状の透明部材により形成されるとともに、表面部より突出する部材はない形状に構成され、前記前側天面部材は、裏面の全面に端部まで印刷等による華飾部を形成し、前記後側天面部材は、前記開口に対向する透明中央部の以外の全面に端部まで印刷等による華飾部を形成し、前記前側天面部材と前記前側裏面部材、および、前記後側天面部材と前記後側裏面部材は、それぞれ、前記華飾部において固着部材のみで接着固定され、前記前側天面部材と前記前側裏面部材、および、前記後側天面部材と前記後側裏面部材の外周には、それぞれ、隙間が形成され、かつ、前記前側裏面部材および前記後側裏面部材の外周近傍には、溝部が形成されている洗濯機。
【請求項２】
前記前側天面部材の厚さｔ１は、前記後側天面部材の厚さｔ２より小さくした請求項１に記載の洗濯機。
【発明の詳細な説明】
【技術分野】
【０００１】
本発明は、洗濯機本体の上面に、折れ蓋構成の蓋装置を備えた洗濯機に関するものである。
【背景技術】
【０００２】
従来、この種の洗濯機の蓋装置は、折り畳み可能とするために、透明部を有する前蓋および透明部を有する後蓋に軸受部や嵌合部を形成し、裏面より不透明部材を装着する構成が提案されている（例えば、特許文献１参照）。
【０００３】
図８は、特許文献１に記載された従来の洗濯機の外観斜視図、図９は、同洗濯機の蓋体の外観斜視図、図１０は、同洗濯機の蓋体の断面図である。
【０００４】
図８、図９、図１０において、洗濯機本体３１の上部には、上面カバー３２が配設されており、上面カバー３２の略中央部には、蓋体３３が開閉自在に配設する。蓋体３３は、略中央部にて折り畳み可能に構成した前蓋体３４と後蓋体３５から構成され、前蓋体３４の中央部と後蓋体３５の中央部は、透明構造とし、洗濯機本体３１内部を視認可能にしている。
【０００５】
前蓋体３４は、把手部３７を有し透明材質で略半円形状の前蓋４０と、前蓋４０の裏面から装着される不透明部材で略馬蹄形状の前蓋当て板４１で構成されている。後蓋体３５は、透明材質で略台形形状の後蓋４２と、前記後蓋４２の裏面から装着され、かつ中央に開口４３を有し外形形状が後蓋４２の形状に近似する後蓋当て板４４で構成されている。
【０００６】
前蓋４０には、軸受部４６を有する軸受リブ４７を後ろ壁５０後方に複数個一体に形成し、軸受部４６は、貫通する孔により構成している。
【０００７】
後蓋当て板４４は、後蓋４２の裏面下側から装着され、前蓋４０の軸受部４６に対応する位置に、支持軸４５を有する支持軸リブ４９が一体形成されている。
【０００８】
支持軸４５を軸受部４６に装着して、前蓋４０と後蓋４２が回動自在となり軸支構造５３が構成される。
【０００９】
前蓋４０の軸受部４６および軸受リブ４７は、前蓋４０の後ろ壁５０後方に突出した位置に延設しているので、後蓋当て板４４の支持軸４５および支持軸リブ４９の配置は、開口４３側に延設した遮蔽リブ５２の略下方に配置構成されている。
【００１０】
したがって、蓋体３３を閉じた状態において、使用者がよく見る状態である斜め前方上方から透明材を通して槽内を視認した際に、軸受部４６および支持軸４５、支持軸リブ４９等がみえにくくなり、蓋体３３を閉じた状態でのデザイン性の向上に配慮している。
【先行技術文献】
【特許文献】
【００１１】
【特許文献１】特開２０１１−２００２７４号公報
【発明の概要】
【発明が解決しようとする課題】
【００１２】
しかしながら、前記従来の構成では、前蓋体３４には、デザイン性を配慮して、透明材
質の前蓋４０の表面に、裏側に装着された不透明部材の前蓋当て板４１の嵌合部を隠す為の段部４０ａが形成される。同様に、後蓋体３５には、透明材質の後蓋４２の表面に、裏側に装着された後蓋当て板４４の嵌合部を隠す為の段部４２ａが形成されている。この段部４０ａ、４２ａが設けられているため、フラット感のあるデザイン性が損なわれるとともに、嵌合部の隙間から水や洗剤等が浸入して外観品位、お手入れ性が損なわれるという課題があった。
【００１３】
また、前蓋４０や後蓋４２は、一般に、射出成形部品で形成されているため、外観品位を向上させる手段として華飾する場合、マスキング塗装や印刷したフィルムのインサート成形等を行うが、高価なものとなったり、印刷では、印刷範囲が限定されるため、デザイン性が制約されたり、奥行き感のあるデザインの実現が制限されるという課題があった。
【００１４】
また、透明性を優先して前蓋４０を透明材質としている為、軸支構造５３が前蓋４０を通して視認され、外観品位、デザイン性が損なわれるという課題があった。
【００１５】
本発明は、前記従来の課題を解決するもので、透明性材料で構成された蓋体の外観品位を安価に高めると共に、フラットな構成でお手入れ性、操作性を向上させた洗濯機を提供することを目的としている。
【課題を解決するための手段】
【００１６】
前記従来の課題を解決するために、本発明の洗濯機は、洗濯機本体上部に配設した上面カバーと、前記上面カバーに形成された衣類投入口と、前記衣類投入口を開閉自在に覆うように配設された折り畳み可能な２枚折れ蓋構造の蓋体とを備え、前記蓋体は、前部に設けられた取手部を有する前蓋体と、前記前蓋体の後部に設けられた後蓋体とから構成し、
前記前蓋体は、天面を形成する表面に凹凸が無い形状の前側天面部材と、裏面を形成する前側裏面部材とから構成し、前記後蓋体は、天面を形成する表面に凹凸が無い形状の後側天面部材と、裏面を形成する開口を有する後側裏面部材とから構成し、前記前側天面部材と前記後側天面部材は、平板状の透明部材により形成されるとともに、表面部より突出する部材はない形状に構成され、前記前側天面部材は、裏面の全面に端部まで印刷等による華飾部を形成、前記後側天面部材は、前記開口に対向する透明中央部の以外の全面に端部まで印刷等による華飾部を形成し、前記前側天面部材と前記前側裏面部材、および、前記後側天面部材と前記後側裏面部材は、それぞれ、前記華飾部において固着部材のみで接着固定され、前記前側天面部材と前記前側裏面部材、および、前記後側天面部材と前記後側裏面部材の外周には、それぞれ、隙間が形成され、かつ、前記前側裏面部材および前記後側裏面部材の外周近傍には、溝部が形成されている構成としたものである。
【００１７】
これにより、蓋体を閉じた状態で見た際の、表面の奥行き感のあるデザインや透明感及びフラット感を実現することができると共に、外観品位を高め、お手入れ性も向上させることができる。
【発明の効果】
【００１８】
本発明の洗濯機は、透明性材料で構成された蓋体の外観品位を高めると共に、フラットな構成とすることによりお手入れ性を向上させることができる。
【図面の簡単な説明】
【００１９】
【図１】本発明の実施の形態における洗濯機の外観斜視図
【図２】同洗濯機の蓋体が開いた時の外観斜視図
【図３】同洗濯機の蓋体の分解斜視図
【図４】同洗濯機の蓋体の前側裏面部材の平面図
【図５】同洗濯機の蓋体の後側裏面部材の平面図
【図６】同洗濯機の蓋体の断面図
【図７】（ａ）同洗濯機の図６のａ部拡大断面図、（ｂ）同洗濯機の図６のｂ部拡大断面図
【図８】従来の洗濯機の外観斜視図
【図９】同洗濯機の蓋体の外観斜視図
【図１０】同洗濯機の蓋体の断面図
【発明を実施するための形態】
【００２０】
第１の発明は、洗濯機本体上部に配設した上面カバーと、前記上面カバーに形成された衣類投入口と、前記衣類投入口を開閉自在に覆うように配設された折り畳み可能な２枚折れ蓋構造の蓋体とを備え、前記蓋体は、前部に設けられた取手部を有する前蓋体と、前記前蓋体の後部に設けられた後蓋体とから構成し、前記前蓋体は、天面を形成する表面に凹凸が無い形状の前側天面部材と、裏面を形成する前側裏面部材とから構成し、前記後蓋体は、天面を形成する表面に凹凸が無い形状の後側天面部材と、裏面を形成する開口を有する後側裏面部材とから構成し、前記前側天面部材と前記後側天面部材は、平板状の透明部材により形成され、前記後側天面部材は、前記開口に対向する透明中央部の以外の全面に端部まで印刷等による華飾部を形成し、前記前側天面部材と前記前側裏面部材、および、前記後側天面部材と前記後側裏面部材は、それぞれ、前記華飾部において固着部材のみで接着固定され、前記前側天面部材と前記前側裏面部材、および、前記後側天面部材と前記後側裏面部材の外周には、それぞれ、隙間が形成され、かつ、前記前側裏面部材および前記後側裏面部材の外周近傍には、溝部が形成されている構成としたものである。
【００２１】
これにより、蓋体を閉じた状態で見た際の、表面の奥行き感のあるデザインや透明感及びフラット感を実現することができ、外観品位を安価に高め、お手入れ性も向上させることができる。
【００２２】
第２の発明は、特に、第１の発明において、前記前側天面部材の厚さｔ１は、前記後側天面部材の厚さｔ２より小さくする構成としたことにより、取手部を持って行なう蓋体の開閉動作において、取手部にかかる重量が小さいので、操作性を向上することができる。
【００２３】
以下、本発明の実施の形態について、図面を参照しながら説明する。なお、この実施の形態によって本発明が限定されるものではない。
【００２４】
（実施の形態１）
図１は、本発明の実施の形態における洗濯機の外観斜視図、図２は、同洗濯機の蓋体が開いた時の外観斜視図を示すものである。
【００２５】
図１、図２において、洗濯機本体１の上部には、上面カバー２を配置し、上面カバー２の略中央部には、衣類投入口８６を形成している。蓋体３が衣類投入口２０を開閉自在に覆うように配置されている。なお、上面カバー２は、後部が高く前部が低い形状となっており、このため、蓋体３の上面は、前面側に向かって漸次低くなるように傾斜した状態となっている。
【００２６】
また、蓋体３は、前蓋体４と後蓋体５からなり、前蓋４と後蓋５は、略中央部に軸支部６を有し、軸支部６を中心として折り畳み可能な２枚折れ蓋に構成している。前蓋体４の天面は、前側天面部材１０により構成する。後蓋体５の天面は、後側天面部材１２により構成する。前側天面部材１０と後側天面部材１２は、透明な部材により形成し、後側天面部材１２の透明中央部１２ａより洗濯槽９内部を視認可能にしている。
【００２７】
また、蓋体３は、後蓋体４の後部左右に、上面カバー２に軸支する支持部１３ｂを形成している。蓋体３は、前蓋体４の後方略中央部に形成した第一凹部１１ａに手を入れて、取手部７を上方に持ち上げつつ後方に押し込む操作をすることで、蓋体３を開いた状態にすることができる。なお、支持部１３ｂの上面側には、カバー１５を設けている。
【００２８】
また、前側天面部材１０と後側天面部材１２は、表面がフラット状であり、表面部１０ｂ、表面部１２ｂより突出する部材はない形状に構成されている。なお、蓋体３の詳細な構成は、図３以降で詳述する。
【００２９】
図３は、本発明の実施の形態における、洗濯機の蓋体の分解斜視図、図４は、同洗濯機の蓋体の前側裏面部材の平面図、図５は、同洗濯機の蓋体の後側裏面部材の平面図、図６は、同洗濯機の蓋体の断面図、図７（ａ）は、同洗濯機の図６のａ部拡大断面図、（ｂ）
は同洗濯機の図６のｂ部拡大断面図である。
【００３０】
図３において、前蓋体４は、前側天面部材１０と、前側裏面部材１１と、取手カバー１４から構成される。前側天面部材１０は、透明な部材で構成され、取手部７を形成しており、外形形状が略馬蹄形状に形成している。前側裏面部材１１は、不透明な部材で構成され、前側天面部材１０の裏面から装着され、取手部７を形成する略長方形状の第一凹部１１ａを有している。取手カバー１４は、前側裏面部材１１に複数の爪形状部１４ａで固定され、取手部７の下部を形成する。
【００３１】
後蓋体５は、後側天面部材１２と、後側裏面部材１３と、カバー１５とで構成されている。後側天面部材１２は、透明な部材で構成され、略長方形状に形成されている。後側裏面部材１３は、後側天面部材１２の裏面から装着され、後側天面部材１２の透明中央部１２ａと対向する位置に開口１３ａを有しており、後側天面部材１２の形状に近似した形状に形成されている。カバー１５は、後側裏面部材１３に形成した支持部１３ｂを覆うよう構成している。
【００３２】
前側天面部材１０と前側裏面部材１１は、両面テープ等の第一固着部材１６のみで接着固定され、後側天面部材１２と後側裏面部材１３は、両面テープ等の第二固着部材１７のみで接着固定されている。
【００３３】
前側天面部材１０と後側天面部材１２は、本実施の形態では、耐洗剤性のアクリル樹脂押出し成形品により構成しており、外形はＮＣ加工により加工され、裏面に各々部材の端部まで耐洗剤性に優れたインクによるシルク印刷が施された華飾部１０ｃ、１２ｃを有している。
【００３４】
なお、第一固着部材１６と第二固着部材１７は、弾性を有する部材で基材を形成し、厚肉に形成している。
【００３５】
図４、図５、図６、図７（ａ）、（ｂ）において、前側裏面部材１１と後側裏面部材１３の外周近傍には、溝部１１ｂ、１３ｂを形成するリブ１１ｃ、１３ｃが、それぞれ前側天面部材１０と後側天面部材１２に近接して形成している。
【００３６】
前側裏面部材１１は、溝部１１ｂと貼付面１１ｄの間に第二凹部１１ｅを有し、第二凹部１１ｅに、第一固着部材１６を固着する貼付面１１ｄを形成している。また、第二凹部１１ｅには、複数の第一補強リブ１１ｆが設けられており、第一補強リブ１１ｆで仕切られた第一空間１１ｇには、少なくとも１箇所以上の箇所に、第一水抜孔１１ｈを形成している。
【００３７】
後側裏面部材１３は、貼付面１３ｄと裏面部１３ｅの二層構成として、強度を確保する公正としている。また、前側裏面部材１１と同様に、貼付面１３ｄと裏面部１３ｅの間には、複数の第二補強リブ１３ｆが設けられ、第二補強リブ１３ｆで仕切られた第二空間１３ｇには、少なくとも１箇所以上の箇所に、第二水抜孔１３ｈを形成している。
【００３８】
前側裏面部材１１、後側裏面部材１３、取手カバー１４、カバー１５は、ポリプロピレン樹脂製等のプラスチック射出成型加工品により製造されている。ポリプロピレン樹脂製等のプラスチック射出成型加工品とすることにより、複雑な形状に対応可能で、デザインの多様性に適応可能な生産性の向上を図ることができる。
【００３９】
前蓋体４の天面を形成する前側天面部材１０の厚さｔ１と、後蓋体５の天面を形成する後側天面部材１２の厚さｔ２との関係は、ｔ１<ｔ２に設定している。
【００４０】
以上のように構成された洗濯機において、以下、その動作、作用などを説明する。
【００４１】
蓋体３は、取手部７を持ち上げつつ後方に押し込む操作にて、軸支部６を支点として屈曲させつつ開き状態となり、内部の洗濯槽９に衣類等の洗濯物の投入や、洗剤の投入が可能になる。
【００４２】
また、蓋体３は、閉じた状態、すなわち前蓋体４と後蓋体５とが折れ蓋状態ではなく、前蓋体４と後蓋体５とで１つの面を形成する状態では、後蓋体５の透明構造の透明中央部１２ａから内部の洗濯槽９の状況、たとえば衣類の動き等を視認することが可能となる。
【００４３】
なお、蓋体３を大型化することにより、蓋体３を開いた際に衣類の投入や取り出し作業をしやすくする構成にした際、一枚構造では開き時の高さが高くなりすぎて操作性が低下することを避けるためと、洗濯機設置場所の上方のスペースで他の部材との干渉を避けるために、蓋体３を軸支部６で折り畳み可能にしている。
【００４４】
また、蓋体３の透明材質の前側天面部材１０と前側裏面部材１１は、両面テープ等の第一固着部材１６のみで接着固定されており、後側天面部材１２と後側裏面部材１３も、両面テープ等の第二固着部材１７のみで接着固定されている。これにより、前側天面部材１０と後側天面部材１２の表面部１０ｂ、１２ｂから突出する部材はない状態となり、フラット感のある、デザイン性を向上させた構成となっている。
【００４５】
また、前蓋体４は、透明材質の前側天面部材１０と、前側天面部材１０の裏側に装着される不透明部材の前側裏面部材１１の間には、溝部１１ｂや第二凹部１１ｅや空間１１ｈが形成され、外周には隙間１１ｊが形成されている。前蓋体４の表面に水や洗剤等を誤ってこぼした場合に、水や洗剤等が隙間１１ｊから溝部１１ｂや第二凹部１１ｅや空間１１ｈに浸入する虞があるが、前側天面部材１０の端部まで施された華飾部１０ｃにより、異物浸入形跡が視認されることがなく、外観品位を高め、お手入れ性を向上させることができる。
【００４６】
後蓋体５は、透明材質の後側天面部材１２と、後側天面部材１２の裏側に装着される後側裏面部材１３の間には、溝部１３ｂや第二空間１３ｇや空間１３ｈが形成され、外周には隙間１３ｊが形成されている。後蓋体５の表面に水や洗剤等を誤ってこぼした場合は、洗濯時の注水や、攪拌時に水や洗剤等が飛び跳ね、また、お湯を使用した洗濯の際の蒸気等が裏面の開口１３ａの隙間より溝部１３ｂや第二空間１３ｇや空間１３ｈに浸入する虞がある。このような場合も、後側天面部材１２の端部まで施された華飾部１２ｃにより、異物浸入形跡が視認されることがなく、外観品位を高め、お手入れ性を向上させることができる。
【００４７】
蓋体３は、外観品位を向上させる手段として、前側天面部材１０と後側天面部材１２の裏面に、各々部材の端部まで耐洗剤性に優れたインクによるシルク印刷を施して華飾部１０ｃ、１２ｃ形成している。これにより、マスキング塗装や印刷したフィルムのインサート成形等の高価なものを用いることなく、印刷範囲も限定されることなく、デザインすることができ、奥行き感のあるデザイン性のある構成とすることができる。
【００４８】
また、蓋体３は、前側天面部材１０や後側天面部材１２を前側裏面部材１１と後側裏面部材１３と略同面積に形成して、前側天面部材１０や後側天面部材１２が蓋体３の略全表面を構成しているので、フラット感や華飾感のデザイン性を向上することができる。
【００４９】
なお、前側裏面部材１１は、開口なしの一層形状であり、後側裏面部材１３は、二層形
状ではあるが、開口１３ａを有する形状となってため、前側裏面部材１１と後側裏面部材１３は、体積が同等であり、同材料により形成されているため、重量は略同等に形成している。
【００５０】
一方、前側天面部材１０の厚さｔ１と、後側天面部材１２の厚さｔ２の関係は、ｔ１<ｔ２に設定しているため、前蓋体４の重量は、後蓋体５より軽くすることができる。これにより、取手部７を持って行なう蓋体３の開閉動作において、取手部７にかかる重量が小さくなり、操作性を向上することができる。
【００５１】
以上のように、本実施の形態においては、蓋体３の天面部を構成する前側天面部材１０と後側天面部材１２は、板状の透明樹脂材で形成されるとともに、それぞれの裏面には端部までシルク印刷等による華飾部１０ｃ、１３ｃを設け、かつ、後側天面部材１２の略中央部で後側裏面部材に形成した開口１３ａに対応する位置に洗濯機本体１内の洗濯槽９内部が視認可能な透明中央部１２ａを形成する構成としたことにより、蓋体３を閉じた状態で見た際の、表面の奥行き感のあるデザインや透明感及びフラット感を実現することができると共に、外観品位を安価に高め、お手入れ性も向上させることができる。
【００５２】
また、前側天面部材１０の厚さｔ１は、後側天面部材１２の厚さｔ２より小さくする構成としたことにより、取手部７を持って行なう蓋体３の開閉動作において、取手部７にかかる重量を小さくでき、操作性を向上することができる。
【産業上の利用可能性】
【００５３】
以上のように、本発明にかかる洗濯機は、蓋体が表面側に嵌合部等の凹凸のない形状で構成するとともに、透明な蓋体上面部材の裏面の端部まで印刷などによる華飾部を設けることで、外観性、デザイン性が向上できるので、蓋体を有する他の家庭用電化機器の用途に適用できる。
【符号の説明】
【００５４】
１  洗濯機本体
２  上面カバー
３  蓋体
４  前蓋体
５  後蓋体
７  取手部
９  洗濯槽
１０  前側天面部材
１０ｃ、１２ｃ  華飾部
１１  前側裏面部材
１２  後側天面部材
１２ａ  透明中央部
１３  後側裏面部材
１３ａ  開口
１６  固着部材（第一固着部材）
１７  固着部材（第二固着部材）
２０  衣類投入口
【図１】
0006719049.tif 000002
【図２】
0006719049.tif 000003
【図３】
0006719049.tif 000004
【図４】
0006719049.tif 000005
【図５】
0006719049.tif 000006
【図６】
0006719049.tif 000007
【図７】
0006719049.tif 000008
【図８】
0006719049.tif 000009
【図９】
0006719049.tif 000010
【図１０】
0006719049.tif 000011